(57)【要約】【課題】画像形成装置側ですでに備えているハードウェアを利用してセキュリティ機能を実現する。【解決手段】画像入力部２と、画像出力部４とを有し、画像入力部４から入力された画像情報に基づいて画像出力部４から可視画像を出力する画像形成装置において、入力された画像情報から動作モードを検出する読み取り処理部３及びヘッダー情報検出部５（動作モード検出手段）を備え、予め前記動作モードが所定の情報に変換されて印刷された用紙を画像入力部２で読み取らせ、前記画像出力部４は、画像入力部２で読み取られ、ヘッダー情報検出部５で検出された動作モードに従って画像出力する。【選択図】図１
2009042512.tif 000002
【特許請求の範囲】
【請求項１】
画像入力手段から入力された画像情報に基づいて画像出力手段から可視画像を出力する画像形成装置において、
入力された画像情報から動作モードを検出する動作モード検出手段を備え、
予め前記動作モードが所定の情報に変換されて印刷された用紙を前記画像入力手段によって読み取らせ、
前記画像出力手段は、前記画像入力手段によって読み取られ、前記動作モード検出手段によって検出された動作モードに従って画像出力することを特徴とする画像形成装置。
【請求項２】
請求項１記載の画像形成装置において、
前記所定の情報がバーコード情報であることを特徴とする画像形成装置。
【請求項３】
請求項１又は２記載の画像形成装置において、
前記所定の情報が複写動作を許可するか否かの情報を含んでいることを特徴とする画像形成装置。
【請求項４】
請求項１ないし３のいずれか１項に記載の画像形成装置において、
前記所定の情報が指定された複写動作以外の操作の禁止又は制限する情報を含んでいることを特徴とする画像形成装置。
【請求項５】
請求項１記載の画像形成装置において、
前記所定の情報に装置利用者の情報を登録し、複写動作を行う際に前記情報内の利用者情報、及び／又は複写を行った機器の情報を出力画像に埋め込むことを特徴とする画像形成装置。
【請求項６】
請求項５記載の画像形成装置において、
前記埋め込みが電子透かしであることを特徴とする画像形成装置。
【請求項７】
画像入力手段から入力された画像情報に基づいて画像出力手段から可視画像を出力する画像形成装置において、
用紙上に埋め込まれた情報に基づいて印刷の可否を判断する判断手段を備え、
前記判断手段は、所定の位置に所定の情報が埋め込まれた印刷用紙を予め用意しておき、前記印刷用紙を給紙するとき、又は給紙トレイに印刷用紙をセットしたときに前記情報を読み込み、印刷出力が許可された用紙であるか否かを判断し、
前記画像出力手段は、前記判断手段の判断結果に基づき、印刷出力が許可された用紙の場合に画像出力することを特徴とする画像形成装置。
【請求項８】
請求項７記載の画像形成装置において、
前記所定の情報を印刷動作時に塗りつぶす手段を備えていることを特徴とする画像形成装置。
【請求項９】
請求項７記載の画像形成装置において、
入力された画像情報から動作モードを検出する動作モード検出手段を備え、
予め前記動作モードが所定の情報に変換されて印刷された用紙を前記画像入力手段によって読み取らせ、
前記印刷用紙に埋め込まれた所定の情報と、前記動作モードが所定の情報に変換されて印刷された用紙から読み取った所定の情報とが、印刷許可で一致したとき、前記画像出力手段から画像出力することを特徴とする画像形成装置。
【発明の詳細な説明】
【技術分野】
【０００１】
本発明は、所定の情報が埋め込まれた用紙を読み取り、あるいは所定の情報が埋め込まれた用紙に、別途読み取った画像情報を印字出力する画像形成装置に関する。
【背景技術】
【０００２】
コピー装置で画像データの複写や印刷を行う際、利用者を管理するため、ＩＤカードなどのハードウェアデバイスをキーとして装置利用の許可を与える管理方式がある。このような例として、例えば特許文献１あるいは２に記載された発明が公知である。このうち、特許文献１記載の発明は、カード型電子機器のピン割り当てを含む動作モードの設定が、当該電子機器の初期化時に情報処理装置から設定可能なようにすることを目的として行われたもので、複数のデータピンを含むコネクタピン群を有するカード型電子機器が装着可能な情報処理装置において、前記コネクタピン群のうち前記データピン以外の所定のピンを介して、前記カード型電子機器の動作モード情報を取得する動作モード取得手段と、前記動作モード取得手段により取得された動作モード情報に基づいて、前記複数のデータピンに関する信号割り当てを設定する動作モード設定手段とを具備することを特徴としている。
【０００３】
また、特許文献２記載の発明は、所要枚数のコピー途中で電源回路をオフにした後の再度の電源投入後の所要モードの設定を容易にすることを目的として行われたもので、設定モードの画像複写プロセスを実行する複写装置、モード入力手段、該モード入力手段の入力に応答して複写装置に複写プロセス動作モードを設定する入力モード設定手段、及び、指定複写枚数と複写済枚数との差である所要複写残枚数を表すための情報を発生する手段を備える複写画像形成装置において、不揮発性メモリ手段、該不揮発性メモリ手段に最新のモード及び最新の所要複写残枚数を表すための情報を書き込む手段、及び、複写装置の電源投入に応答して、前記不揮発性メモリ手段の所要複写残枚数を表すための情報を参照しそれが残枚数０のときには複写装置に所定の初期モードを設定し、１以上の時には不揮発性メモリ手段のモードを複写装置に設定する初期モード設定手段を備えた複写画像形成装置のモード設定装置を特徴とするものである。
【特許文献１】特開２００１−２５６１７４号公報
【特許文献２】特開２０００−３５２９０４号公報
【発明の開示】
【発明が解決しようとする課題】
【０００４】
前記特許文献記載の発明のように利用者を管理するため、ＩＤカードなどのハードウェアデバイスをキーとして装置利用の許可を与える管理方式では、利用者が予めキーとなるデバイスを所持していることや、装置側に予めキーデバイスを確認できるハードウェアが必要になる。そのため、予め利用者が限定されている場合は問題ないが、装置が公共機関に設置されている場合など不特定のユーザーが使用するような環境では、キーデバイスの配布や装置利用後のキーデバイス回収などで手間がかかったり、キーデバイスの紛失のようなことも発生し得る。
【０００５】
そこで、本発明が解決しようとする課題は、コピー装置側ですでに備えているハードウェアを利用してセキュリティ機能を実現することができるようにすることにある。
【課題を解決するための手段】
【０００６】
前記課題を解決するため、第１の手段は、画像入力手段から入力された画像情報に基づいて画像出力手段から可視画像を出力する画像形成装置において、入力された画像情報から動作モードを検出する動作モード検出手段を備え、予め前記動作モードが所定の情報に変換されて印刷された用紙を前記画像入力手段によって読み取らせ、前記画像出力手段は、前記画像入力手段によって読み取られ、前記動作モード検出手段によって検出された動作モードに従って画像出力することを特徴とする。
【０００７】
第２の手段は、第１の手段において、前記所定の情報がバーコード情報であることを特徴とする。
【０００８】
第３の手段は、第１又は第２の手段において、前記所定の情報が複写動作を許可するか否かの情報を含んでいることを特徴とする。
【０００９】
第４の手段は、第１ないし第３のいずれかの手段において、前記所定の情報が指定された複写動作以外の操作の禁止又は制限する情報を含んでいることを特徴とする。
【００１０】
第５の手段は、第１の手段において、前記所定の情報に装置利用者の情報を登録し、複写動作を行う際に前記情報内の利用者情報、及び／又は複写を行った機器の情報を出力画像に埋め込むことを特徴とする。
【００１１】
第６の手段は、第５の手段において、前記埋め込みが電子透かしであることを特徴とする。
【００１２】
第７の手段は、画像入力手段と、画像出力手段とを有し、画像入力手段から入力された画像情報に基づいて画像出力手段から可視画像を出力する画像形成装置において、予め所定の位置に所定の情報が埋め込まれた印刷用紙を用意しておき、前記印刷用紙を給紙するとき、又は給紙トレイに印刷用紙をセットしたときに前記情報を読み込み、印刷出力が許可された用紙であるか否かを判断する判断手段を備え、前記画像出力装置は前記判断手段の判断結果に基づいて印刷出力が許可された用紙の場合に、画像出力することを特徴とする。
【００１３】
第８の手段は、第７の手段において、前記所定の情報を印刷動作時に塗りつぶす手段を備えていることを特徴とする。
【００１４】
第９の手段は、第７の手段において、入力された画像情報から動作モードを検出する動作モード検出手段を備え、予め前記動作モードが所定の情報に変換されて印刷された用紙を前記画像入力手段によって読み取らせ、前記印刷用紙に埋め込まれた所定の情報と、前記動作モードが所定の情報に変換されて印刷された用紙から読み取った所定の情報とが、印刷許可で一致したとき、前記画像出力手段から画像出力することを特徴とする。
【００１５】
なお、後述の実施形態では、画像入力手段は画像入力部２に、画像出力手段は画像出力部４に、動作モード検出手段は読み取り処理部３及びヘッダー情報検出部５に、バーコード情報は符号６３に、判断手段は用紙ヘッダー情報検出部１２ａに、塗りつぶす手段は画像出力部４に、それぞれ対応する。
【発明の効果】
【００１６】
本発明によれば、画像形成装置側にすでに備えているハードウェアを利用してセキュリティ機能を実現することができる。
【発明を実施するための最良の形態】
【００１７】
以下、図面を参照し、本発明の実施形態について説明する。
【実施例１】
【００１８】
図１は本実施形態における実施例１に係る複写装置の構成を示すブロック図である。本実施例は、動作モードをバーコード情報などに印刷し、印刷したシートをスキャナによって読み込み、読み込んだバーコード情報を解析することによって得られた動作モードで複写装置が動作することができるようにした例である。
【００１９】
図１において、複写装置１は、画像入力部２、読み取り制御部３、画像出力部４、及びヘッダー情報検出部５から基本的に構成されている。
【００２０】
画像入力部２は光学的に原稿を読み取る所謂スキャナから構成され、読み取り処理部３では、画像入力部２で読み取った画像データを所定の、例えば画像出力するための画像データに処理して出力する。画像出力部４は読み取り処理部３で処理された画像データにしたがって、図示しないエンジンから可視画像を出力する。
【００２１】
ヘッダー情報検出部５は、動作モード情報を印刷したヘッダーシートのヘッダーを読み込み、その読み込み情報から所定の動作モードで動作するように設定する。すなわち、複写装置が原稿のコピー動作を行うに先立って、予め動作モード情報を印刷したヘッダーシートを読み込む。複写装置の動作モードとしては、例えば、
（１）複写倍率
（２）露光量
（３）複写用紙サイズ
（４）コピー枚数
（５）集約印刷
（６）両面印刷
といった項目があり、これらの各項目を組み合わせて動作モードが設定される。また、ヘッダーシートには、動作モードの情報の他、ヘッダーシートの全体もしくは一部に地紋印刷を行い、コピーを行う原稿と区別する処理を加える。
【００２２】
コピー装置のドキュメントフィーダ（ＤＦ）に原稿をセットする際、動作モード情報を記録したヘッダーシートを１枚目に読み込ませることによってコピー装置に動作モードを設定し、以後の原稿を読み込んで指定された動作モードに従いコピー動作を実行する。
【００２３】
図２はヘッダーシートを生成するときの処理手順を示すフローチャートである。ヘッダーシートを生成する際には、まず、管理者権限で図示しないパソコンにログオンし（ステップＳ１０１）、パソコン内のメモリに記録されている利用者情報Ａ１を参照して利用者情報を入力する（ステップＳ１０２）。次いで、前述の設定された動作モードＡ２を参照し、出力レイアウト情報をパソコンから入力する（ステップＳ１０３）。その後、ステップＳ１０２，Ｓ１０３の入力情報に基づいてヘッダーシート情報を生成し（ステップＳ１０４）、生成されたヘッダーシート情報に基づいてヘッダーシートを画像出力装置（プリンタ）から印字出力し、ヘッダーシートを作成する（ステップＳ１０５）。ヘッダーシートの作成は、図１に図示している画像出力部４からでも、他のプリンタからでも可能であり、出力装置は任意である。
【００２４】
図３は動作モード取り込みの処理手順を示すフローチャートである。同図において、動作モードを取り込む際には、まず、原稿の１枚目がヘッダーシートかどうかをチェックする（ステップＳ２０１）。ヘッダーシートであれば、動作モード情報を画像入力部２で読み取り、取り込む（ステップＳ２０３）。そして、取り込んだ動作モード情報に基づいて動作モードを設定し（ステップＳ２０４）、原稿の２枚目以降について取り込んだ動作モードに基づいてコピー処理する（ステップＳ２０５）。一方、ステップＳ２０１で原稿１枚目がヘッダーシートでなければ、コピー処理を停止して（ステップＳ２０６）処理を終える。取り込みは図１の画像入力部２から行われる。
【００２５】
本実施例によれば、動作モード設定を操作パネルからではなく設定情報を記載したヘッダーシートにより行うので、設定ミスによる無駄な出力を防ぐことができる。また、印刷出力結果のフォーマットを管理することが容易になる。
【実施例２】
【００２６】
本実施例は、バーコード情報にコピー動作を許可するか否かの情報を組み込み、バーコード情報を装置利用のセキュリティキーとして利用するようにした例である。すなわち、ヘッダーシートに動作モード以外の情報としてコピー装置の利用許可情報を埋め込み、ヘッダーシートを装置利用のためのキーとして通すことでコピー装置を利用できるようにする。これにより、ヘッダーシートを通さない状態でコピー操作を行っても印刷動作は実行しない。また、装置の利用許可だけでなく利用可能な装置の個別のＩＤ番号などをヘッダーシート情報に埋め込むことによって、コピー装置の管理者が予め指定した装置以外の利用を制限することで利用者管理を行うことが可能になる。また、許可されていないコピー操作を行った場合は原稿の読み取り、印刷出力を停止すると同時に、管理者への通知、操作ログの保存、操作パネル上への表示などを行う。
【００２７】
図４はこのような処理を行う実施例２に係る複写装置の構成を示すブロック図である。実施例２に係る複写装置は実施例１に係る複写装置に対してヘッダー情報検出部の後段に、不正操作検出部６を設け、不正操作を検出したときには不正操作通知を出力するようにしたものである。その他の各部は実施例１における図１の構成と同等である。
【００２８】
図５は実施例２における動作モード取り込みの処理手順を示すフローチャートである。図５において、まず、原稿１枚目がヘッダーシートかどうか（ステップＳ３０１）、ヘッダーシートであれば操作許可を示す情報がヘッダーシートに登録されているかどうか（ステップＳ３０２）、登録されていれば、操作許可の情報と装置のＩＤ番号が一致しているかどうか（ステップＳ３０３）をそれぞれチェックし、これらが全てＹＥＳであれば、読み込んだヘッダーシートから動作モード情報を取り込み（ステップＳ３０４）、取り込んだ動作モード情報に基づいて動作モードを設定し（ステップＳ３０５）、原稿２枚目以降のコピー処理を実行する（ステップＳ３０６）。一方、ステップＳ３０１，Ｓ３０２，Ｓ３０３のいずれかでＮＯであれば、コピー処理を停止し（ステップＳ３０７）、操作ログを保存した後（ステップＳ３０８）、不正操作通知処理を実行して（ステップＳ３０９）処理を終える。
【００２９】
本実施例によれば、ヘッダーシートに装置利用許可の情報を埋め込み、この情報に基づいて印刷装置の使用の是非を設定できるので、無断使用を防止することが可能となる。また、その際、操作ログを保存し、不正操作通知を行うので、誰がいつ使用したかの利用者管理も容易に行える。
【実施例３】
【００３０】
本実施例は、バーコード情報で指定したコピー動作以外の操作を禁じ、不要な複製や指定された以外の動作モードでのコピー操作を制限する例である。すなわち、コピー装置の動作を管理するため、ヘッダーシートに記載する動作モードなどの情報は利用者が書き替えできないように暗号化やバーコード情報などに置き換えて生成する。また、コピー装置利用者は予めヘッダーシートで指定した以外のコピー動作は許可されず、指定された範囲内でのみコピー動作が可能になる。例としては、ヘッダーシートで両面印刷やモノクロ印刷が指定されている場合、利用者が片面印刷やカラー印刷を操作パネルから設定できない、もしくは設定しても無視される動作となる。
【００３１】
この例を図６に示す。同図において、図６（ａ）は設定項目を入力するためのマークシート６１である。このマークシート６１には、コピー装置に設定する動作モードの項目が設定項目Ａ，Ｂ，Ｃ・・・というように並んでおり、その項目の中の設定内容がＡ−１，Ａ−２，Ｂ−１，Ｂ−２というようにさらに具体的に記載されている。管理者はマークシート６１にユーザー個々に対応して設定される使用可能な動作モードにマーク６２を付け、画像入力部２で読み取らせ、画像処理部３でバーコード情報への置き換えを行う。バーコード情報に置き換えられた設定動作モードは、画像出力部４から図６（ｂ）に示すように２次元バーコード情報６３として出力される。
【００３２】
２次元バーコード情報６３が印字出力されたヘッダーシート６４は、読み取り時に、実施例２で説明したように読み取る用紙束の１枚目に置かれ、このヘッダーシート６４を読み込んで取得した動作モードにしたがって２枚目以降のコピー動作が行われる。
【００３３】
なお、ここでは、マークシート６１は用紙上に印刷されたものを使用する例について述べているが、パソコンの画面上で入力し、マークシートをプリンタから出力するようにすることもできる。その他、特に説明しない各部は前述の実施例１及び２と同等に構成され、同等に機能する。
【００３４】
本実施例によれば、ヘッダーシートに記載する動作モード設定情報を暗号化、バーコード化することによって、利用者による動作モード設定の改竄を防止し、装置の管理者が意図しない使われ方を防ぐことができる。
【実施例４】
【００３５】
本実施例は、バーコード情報に装置利用者の情報を登録し、コピー動作を行う際にバーコード内の利用者情報やコピーを行った機器の情報を出力画像に電子透かしなどで埋め込み、出力結果の追跡を可能にする例である。すなわち、ヘッダーシートに動作モード以外の情報として、コピー装置の利用申請を行った利用者情報を持たせる。利用者情報は装置内で読み込んだ画像情報に対して電子透かし情報として合成して印刷出力を行う。電子透かしに入れ込む情報はヘッダーシートから読み込まれた情報の他、コピー装置が独自に持つシリアル番号などの情報と組み合わせて合成することも可能である。出力結果にヘッダーシート内の情報を組み込むことにより、誰が出力した印刷物であるかといった複製物の追跡が可能になる。
【００３６】
図７はこの実施例４に係る複写装置１を示すブロック部である。この実施例４に係る複写装置１は、実施例１の複写装置に対して読み取り処理部３と画像出力部４との間に電子透かし合成部９を設けるととともに、ヘッダー情報検出部５と前記電子透かし合成部９との間に電子透かし生成部８を設けたものである。このように構成すると、電子透かし合成部９に対してヘッダー情報検出部５で検出したヘッダー情報に基づいて電子透かし生成部８で電子透かし情報を生成し、この電子透かし情報を電子透かし合成９に入力し、前記電子透かし合成部９で読み取り画像と入力された電子透かし情報とを合成して画像出力部４から印字出力することができる。これにより出力画像には電子透かし情報が付随することになり、電子透かし情報から複製物の追跡が容易となる。
【００３７】
図８はこのときの処理手順を示すフローチャートである。この処理手順では、まず、画像入力部２でヘッダーシートからヘッダー情報Ｂ１を読み込んで、複写装置１内に取り込む（ステップＳ４０１）。ヘッダー情報検出部５では取り込んだヘッダー情報から利用者情報を抽出し（ステップＳ４０２）。電子透かし合成部９では読み取った原稿Ｂ２から原稿画像を取り込む（ステップＳ４０３）。そして、利用者情報を原稿画像に埋め込む場合には（ステップＳ４０４−ＹＥＳ）、電子透かし合成部９で原稿画像に利用者情報を電子透かし情報として合成し（ステップＳ４０５）、画像出力部４から印字出力する（ステップＳ４０６）。一方、ステップＳ４０４で利用者情報を原稿画像に埋め込まない場合には、原稿画像のみを画像出力部４から印字出力する（ステップＳ４０６）。
【００３８】
なお、特に説明しない各部は前述の実施例１と同等に構成され、同等に機能する。
【００３９】
本実施例によれば、ヘッダーシートに記載する情報に利用者情報を付加し、ヘッダーシートから読み込んだ利用者情報を埋め込んで印字出力するので、出力結果を容易に追跡することが可能となり、印刷物の複製の管理が容易となる。
【実施例５】
【００４０】
本実施例は、印刷する用紙の所定の位置にバーコード情報などを予め埋め込み、給紙時もしくは給紙トレイに印刷用紙をセットしたときに情報を読み込んで、印刷出力が許可された用紙であるか否かを判断するようにした例である。すなわち、実施例３で示したバーコード情報６３を用紙の所定の位置に埋め込み、出力許可の判定を用紙に記録された情報で判断する。所定の位置とは、例えば印刷用紙の角もしくはセンタなど、あるいは、用紙の全面であり、用紙の全面の場合には、地紋パターンとして予め記録しておく。
【００４１】
図９は実施例５における複写装置１の構成を示すブロック図である。同図において、複写装置１は画像入力部２、画像出力部４、用紙ヘッダー情報検出部１２ａ及び給紙部１０からなる。画像入力部２から入力された画像データは画像出力部４に入力され、給紙部１０から給紙される用紙のヘッダー情報は用紙ヘッダー情報検出部１２ａで検出されて画像出力部４に出力される。なお、画像入力部２と画像出力部４との間では、図示はしていないが実施例１のような画像出力のための画像処理が施される。
【００４２】
図１０はセンタ合わせ印刷用紙をセットする機種での用紙情報印刷位置の例を示す図である。図１０（ａ）は用紙の長手方向に直交する方向に搬送する所謂横送り用紙６５の例、図１０（ｂ）は用紙の長手方向に沿って搬送する所謂縦送り用紙６６の例をそれぞれ示す。いずれの場合においても、バーコード情報６３は、用紙搬送方向最上流側のセンタに対応する位置に印刷される。
【００４３】
図１１は、センタ合わせの用紙に印刷されたバーコード情報６３を読み取るセンサ位置を示す図である。前記バーコード情報６３を読み取る用紙情報検出センサ７１は用紙搬送路の幅方向の中央であって用紙の上方に設けられている。用紙は、横送り用紙６５であっても縦送り用紙６６であってもセンタ合わせなので、用紙ガイド７２によって用紙の幅方向（用紙搬送方向と直交する方向）を揃えると、バーコード情報６３の印刷位置はセンタ７３に位置することになる。これにより用紙情報検出センサ７１によって確実にバーコード情報６３を読み取ることができる。
【００４４】
この実施例では、用紙の印刷動作時にバーコード情報６３のない用紙、あるいは許可されていないバーコード情報が記録された用紙を給紙した場合は印刷出力処理を停止し、管理者への通知、操作ログの保存、操作パネル上への表示などを行うことができる。
【００４５】
その他、特に説明しない各部は前述の実施例１と同等に構成され、同等に機能する。
【００４６】
本実施例によれば、印刷用紙側に利用許可情報を埋め込むことによって用紙毎に出力可否の判定を行うことが可能になり、ヘッダーシートが不要になることから、予め準備した用紙枚数以上の出力が行われることがなくなり、無駄な印刷や、許可されていない複数部のコピー操作を防止することができる。
【実施例６】
【００４７】
実施例５では、用紙にバーコード情報６３が埋め込まれており、同様の機能を備えた画像読み取り装置で読み取り、バーコード情報６３の内容を取得することが可能である。そのため、第三者がユーザーや管理者にとって意図しないことを行う虞があり、また、セキュリティ上の問題を生じる虞がある。そこで、本実施例では、印刷する用紙の所定の位置に埋め込んだバーコード情報６３を印刷時に塗りつぶし、バーコード情報６３が印刷された部分の再利用を防止するようにした。
【００４８】
すなわち、実施例５においてバーコード情報６３が記録された印刷用紙を用いて出力する際に、バーコード情報部分の塗りつぶしを行う。その際、バーコード情報６３内に情報を記録した位置も記録しておき、印刷出力時にその記録した位置のバーコード情報６３を塗りつぶす。バーコード情報６３は、情報部分の全面を塗りつぶすという処理だけでなく、一部の情報を書き替え、バーコード情報を無効化するという処理を行うことも可能である。
【００４９】
図１２は実施例６に係る複写装置の構成を示すブロック図である。同図において、複写装置１は、画像入力部２、画像合成部１１、画像出力部４、給紙部１０、用紙ヘッダー情報検出部１２ａ、用紙ヘッダー印刷位置検出部１２ｂ、及び塗りつぶし情報生成部１３から構成されている。用紙ヘッダー情報検出部１２ａは給紙部１０から給紙される用紙に埋め込まれているヘッダー情報を検出し、用紙ヘッダー印刷位置検出部１２ｂは検出したヘッダー情報からヘッダー情報が埋め込まれている用紙上の位置を取得し、塗りつぶし情報生成部１３に出力する。塗りつぶし情報生成部１３では、入力された印刷位置情報に基づいて、塗りつぶし情報、すなわち、塗りつぶす位置及び範囲に関する情報を生成し、画像合成部１１に出力する。
【００５０】
画像合成部１１は画像入力部２から入力された情報に対して塗りつぶし情報生成部１３から入力された塗りつぶす位置及び範囲から塗りつぶす画像を合成し、画像出力部４に転送する。画像出力部４では、図１３に示すように図１０（ａ）に示すバーコード情報６３の埋め込み位置のバーコード埋め込み範囲６７を塗りつぶし、画像入力部２から入力された画像６９と合成した画像として出力する。符号６８は出力される画像を示す。
【００５１】
その他、特に説明しない各部は前述の実施例１と同等に構成され、同等に機能する。
【００５２】
本実施例によれば、印刷用紙側に埋め込んだ利用許可情報などのヘッダー情報を再利用できないように処理することにより、利用許可情報のみを切り取って他の印刷用紙に貼り付けるといった不正な利用方法を防止することができる。
【実施例７】
【００５３】
実施例５では、印刷する用紙の所定の位置にバーコード情報などを埋め込み、給紙時もしくは給紙トレイに印刷用紙をセットしたときに情報を読み込んで、印刷出力が許可された用紙であるか否かを判断している。一方、実施例３では、バーコード情報で指定したコピー動作以外の操作を禁じ、不要な複製や指定された以外の動作モードでのコピー操作を制限している。そこで、本実施例７では、印刷用紙へ記載された情報が、印刷許可を与える情報と一致した場合にのみコピー動作を実行可能とするようにした。
【００５４】
図１４は実施例７に係る複写装置の構成を示すブロック図である。同図において、複写装置１は実施例１の複写装置に対して、装置ＩＤ検出部１４と印刷許可判定部１５とを設けたものである。装置ＩＤ検出部１４で検出されたＩＤから装置を特定し、特定された装置とヘッダー情報検出部５で検出されたヘッダー情報とから当該装置で印刷してよいかどうかを決定する。
【００５５】
すなわち、本実施例では、ヘッダーシートに記録する情報として出力用紙の用紙情報も予め記録しておく。給紙トレイ１０に出力許可されたサイズの印刷用紙がセットされていても印刷用紙から用紙情報が読み取れない場合は、許可されていない種類の出力用紙と判断して印刷動作を停止する。これにより原稿読み込み前に取り込むヘッダーシートの情報と、印刷動作時に確認する用紙情報の両方の情報により出力許可されている場合にのみ、印刷出力動作を実施することができる。
【００５６】
図１５はこのときの処理手順を示すフローチャートである。この処理手順では、まず、画像入力部２でヘッダーシートからヘッダー情報Ｃ１を読み込んで、複写装置１内に取り込む（ステップＳ５０１）。ヘッダー情報検出部５では取り込んだヘッダー情報から使用用紙情報を抽出し（ステップＳ５０２）。次いで、給紙された印刷用紙Ｃ２のバーコード情報６３を読み取り、取り込む（ステップＳ５０３）。その後、ステップＳ５０３で取り込んだ用紙情報がステップＳ５０１で取り込んだヘッダー情報と一致するかどうかをチェックし（ステップＳ５０４）、一致した場合のみ印刷を実行し（ステップＳ５０５）、不一致であれば印刷処理は中止する（ステップＳ５０６）。
【００５７】
本実施例によれば、原稿読み込み時のヘッダーシートと印刷用紙に記載された利用許可情報の両方で利用者管理を行うことによってヘッダーシートを使い回して印刷許可を得るような不正な装置の利用を防止することができる。
【図面の簡単な説明】
【００５８】
【図１】本実施形態における実施例１に係る複写装置の構成を示すブロック図である。
【図２】ヘッダーシートを生成するときの処理手順を示すフローチャートである。
【図３】動作モード取り込みの処理手順を示すフローチャートである。
【図４】実施例２に係る複写装置の構成を示すブロック図である。
【図５】実施例２における動作モード取り込みの処理手順を示すフローチャートである。
【図６】実施例３におけるマークシートとバーコード情報への置き換えとの関係を示す図である。
【図７】実施例４に係る複写装置を示すブロック部である。
【図８】実施例４における処理手順を示すフローチャートである。
【図９】実施例５に係る複写装置の構成を示すブロック図である。
【図１０】センタ合わせ印刷用紙をセットする機種での用紙情報印刷位置の例を示す図である。
【図１１】センタ合わせの用紙に印刷されたバーコード情報を読み取るセンサ位置を示す図である。
【図１２】実施例６に係る複写装置の構成を示すブロック図である。
【図１３】印刷用紙のバーコード情報の埋め込み位置を塗りつぶし、画像入力部２から入力された画像と合成した画像を示す図である。
【図１４】実施例７に係る複写装置の構成を示すブロック図である。
【図１５】実施例７に係る複写装置の処理手順を示すフローチャートである。
【符号の説明】
【００５９】
１  複写装置
２  画像入力部
３  読み取り処理部
４  画像出力部
５  ヘッダー情報検出部
６  不正操作検出部
７  不正操作通知
８  電子透かし生成部
９  電子透かし合成部
１０  給紙部
１１  画像合成部
１２ａ  用紙ヘッダー情報検出部
１２ｂ  用紙ヘッダー印刷位置検出部
１３  塗りつぶし情報生成部
１４  装置ＩＤ検出部
１５  印刷許可判定部
６１  マークシート
６２  マーク
６３  バーコード情報
６４  ヘッダーシート
６５，６６  印刷用紙
６７  塗りつぶし部
【図１】
2009042512.tif 000003
【図２】
2009042512.tif 000004
【図３】
2009042512.tif 000005
【図４】
2009042512.tif 000006
【図５】
2009042512.tif 000007
【図６】
2009042512.tif 000008
【図７】
2009042512.tif 000009
【図８】
2009042512.tif 000010
【図９】
2009042512.tif 000011
【図１０】
2009042512.tif 000012
【図１１】
2009042512.tif 000013
【図１２】
2009042512.tif 000014
【図１３】
2009042512.tif 000015
【図１４】
2009042512.tif 000016
【図１５】
2009042512.tif 000017